(57)【要約】【課題】簡易な構造を採用しつつ、ＬＥＤ光源の配置の自由度を簡易に確保し、表示部の輝度の均一化を図ると共に、表示装置の小型化、薄型化、コストの低減が可能な表示装置を提供する。【解決手段】少なくとも、底部を構成する光拡散部と、天面を構成する表示部と、側壁と、によって囲まれた表示装置であって、前記光拡散部の適宜の位置に設けられた位置表示部に従って、ＬＥＤ光源又はＬＥＤ光源を備えた支持構造体の少なくともいずれか一つを配置し、前記ＬＥＤ光源の発光部を前記光拡散部に当接、又は、前記ＬＥＤ光源の発光部を、前記光拡散部に発光部側を下方に向けて挿入することで、前記光拡散部が、ＬＥＤ光源の光を拡散させて、なくとも前記表示部を照らすものである。【選択図】図５
2014056011.tif 000002
【特許請求の範囲】
【請求項１】
少なくとも、底部を構成する光拡散部と、天面を構成する表示部と、側壁と、によって囲まれた表示装置であって、
前記光拡散部の適宜の位置に設けられた位置表示部に従って、ＬＥＤ光源又はＬＥＤ光源を備えた支持構造体の少なくともいずれか一つを配置し、
前記ＬＥＤ光源の発光部を前記光拡散部に当接、又は、前記ＬＥＤ光源の発光部を、前記光拡散部に発光部側を下方に向けて挿入することで、
前記光拡散部が、ＬＥＤ光源の光を拡散させて、少なくとも前記表示部を照らす表示装置。
【請求項２】
前記光拡散部が光拡散樹脂で形成されている請求項１記載の表示装置。
【請求項３】
前記位置表示部は、光拡散部に設けられた、マーキング、凹み又は溝である請求項１又は請求項２の表示装置。
【請求項４】
前記凹みが、ＬＥＤ光源を挿入する挿入部である請求項３記載の表示装置。
【請求項５】
前記ＬＥＤ光源が、柔軟性を有する連結部によって、所定の間隔を経て複数連結されている請求項１から請求項４のいずれかに記載の表示装置。
【発明の詳細な説明】
【技術分野】
【０００１】
本発明は、照明広告看板等の表示装置に関するものである。
【背景技術】
【０００２】
従来、照明広告看板として使用される一般にチャンネル文字と呼ばれる表示装置は、図８及び図９に示すように、表示したい文字等の形状に切り抜かれた乳白色の光拡散樹脂板９０の裏側に、底面９２と側板９１とで構成される溝（チャンネル）を設け、その溝の底面９２に光源９３が光拡散樹脂板９０側を向くように適宜設置され、その光源が光拡散樹脂板９０を透過する透過光により文字等が浮かび上がったように見える視覚効果を有するものであった。
【０００３】
しかしながら、このような表示装置においては、光拡散樹脂板９０の輝度を均一にするため、側板９１の高さを厚くして光源９３からの放射光を拡散させる必要がある。
【０００４】
そのため、例えば、文字幅（光拡散樹脂板９０の幅）が４０ｍｍ程度の場合、側板９１の高さは８０ｍｍ程度必要なため、小型化、薄型化が非常に困難であった。
【０００５】
そこで、表示装置の薄型化を図りつつ、輝度を均一にする表示装置として、複数個のＬＥＤランプがフレキシブル基板上に配置され、各ＬＤＥランプの放射光がフレキシブル基板の両面に放射されるように取り付けられ、各ＬＤＥランプが同一平面上に位置する平面表示面を形成するようロール状に曲げ加工可能であるＬＥＤモジュール（以下、フレキシブルＬＥＤモジュールという。）を使用し、このＬＥＤモジュールを埋め込み部に配置することで、ＬＥＤランプが底板より一定の距離を隔てて設置されることにより、底板を反射させる表示装置が開示されている（特許文献１参照）。
【先行技術文献】
【特許文献】
【０００６】
【特許文献１】特開２０１２−３８６３５号公報
【発明の概要】
【発明が解決しようとする課題】
【０００７】
しかしながら、この表示装置では輝度を均一にするために複数のＬＥＤランプをそれぞれ反射板である底板から一定の距離を保ちながら光軸を底板に向けて固定する必要があるために、上述した特殊なフレキシブルＬＥＤモジュールを使用する必要があるため、コストの増大が懸念されるものであった。
【０００８】
また、このフレキシブルＬＥＤモジュールは連続又は断続的な一定幅の帯状区画を形成する埋込部に沿って差し込む必要があるため、輝度を均一にするためにＬＥＤを適宜の位置に配置するためには、緻密な計算に基づいて埋込部を形成する必要があり、底板に埋込部を加工するためにはコストがかかるうえに、ＬＥＤランプの配置の自由度が簡易に確保されるものではなかった。
【０００９】
そこで、本発明はこのような問題点を解決するものであって、簡易な構造を採用しつつ、ＬＥＤ光源の配置の自由度を簡易に確保し、表示部の輝度の均一化を図ると共に、表示装置の小型化、薄型化、コストの低減が可能な表示装置を提供することを課題とする。
【課題を解決するための手段】
【００１０】
前記問題点を解決するため、本発明の表示装置は、少なくとも、底部を構成する光拡散部と、天面を構成する表示部と、側壁と、によって囲まれた表示装置であって、前記光拡散部の適宜の位置に設けられた位置表示部に従って、ＬＥＤ光源又はＬＥＤ光源を備えた支持構造体の少なくともいずれか一つを配置し、前記ＬＥＤ光源の発光部を前記光拡散部に当接、又は、前記ＬＥＤ光源の発光部を、前記光拡散部に発光部側を下方に向けて挿入することで、前記光拡散部が、ＬＥＤ光源の光を拡散させて、少なくとも前記表示部を照らすものである。
【００１１】
また、前記光拡散部が光拡散樹脂で形成することができる。
【００１２】
また、前記位置表示部は、光拡散部に設けられた、マーキング、凹み又は溝とすることができる。
【００１３】
また、前記凹みが、ＬＥＤ光源を挿入する挿入部とすることができる。
【００１４】
さらに、前記ＬＥＤ光源は、柔軟性を有する連結部によって、所定の間隔を経て複数連結することができる。
【発明の効果】
【００１５】
本発明に係る表示装置によれば、簡易な構造を採用しつつ、ＬＥＤ光源の配置の自由度を簡易に確保し、表示部の輝度の均一化を図ると共に、表示装置の小型化、薄型化、コストの低減が可能となる。
【図面の簡単な説明】
【００１６】
【図１】本発明の第１実施形態に係る表示装置の光拡散部の一部拡大斜視図である。
【図２】本発明の第１実施形態に係る表示装置の図１と異なるＬＥＤ光源を備える支持構造体を使用した光拡散部の一部拡大斜視図である。
【図３】ＬＥＤ光源を備える支持構造体の実施例を示す斜視図である。
【図４】本発明の第２実施形態に係る表示装置の斜視図である。
【図５】図４の中央縦断断面図である。
【図６】本発明の表示装置をチャンネル文字に使用する場合の表示部と側壁とを省略した状態の正面図である。
【図７】図６の表示部と側壁とを省略しない状態のＡ−Ａ線断面図である。
【図８】従来の表示装置の斜視図である。
【図９】図８の内部構造を示す説明図である。
【発明を実施するための形態】
【００１７】
以下、本発明に係る実施形態を図面に従って説明するが、本発明はこの実施形態に限定されるものではない。
【００１８】
本発明の表示装置は、少なくとも、底部を構成する光拡散部１０と、天板を構成する表示部２０と、側壁３０と、によって囲まれた表示装置であって、前記光拡散部１０の適宜の位置に設けられた位置表示部１１に従って、ＬＥＤ光源Ｌ又はＬＥＤ光源Ｌを備えた支持構造体Ｓの少なくともいずれか一つを配置し、前記ＬＥＤ光源Ｌの発光部Ｌ１を前記光拡散部１０に当接、又は、前記ＬＥＤ光源Ｌの発光部Ｌ１を前記光拡散部１０に、発光部Ｌ１側を下方に向けて挿入することで、前記光拡散部１０が、ＬＥＤ光源Ｌの光を拡散させて、少なくとも表示部２０を照らすものである。なお、表示装置の天板を構成する表示部２０側を上方とし、底部を構成する光拡散部１０側を下方とする。
【００１９】
図１は、本発明の第１実施形態に係る表示装置の光拡散部１０に、ＬＥＤ光源Ｌを配置した状態を例示した一部拡大斜視図である（天板を構成する表示部２０と、側壁３０、電線Ｓ５等は省略している。）。ＬＥＤ光源Ｌの発光部Ｌ１が、光拡散部１０に当接することで、光拡散部１０がＬＥＤ光源Ｌの光を拡散させて、少なくとも表示部２０を照らす表示装置である。そして、ＬＥＤ光源Ｌ又はＬＥＤ光源Ｌを備えた支持構造体Ｓの少なくともいずれか一つを、光拡散部１０に設けられた位置表示部１１に従って配置することで、ＬＥＤ光源Ｌの発光部Ｌ１が適宜の位置に配置される。
【００２０】
光拡散部１０は、表示装置の底部を構成し、ＬＥＤ光源Ｌの発光部Ｌ１から発光された光を拡散するものである。光拡散部１０には、適宜の位置にＬＥＤ光源Ｌ又はＬＥＤ光源Ｌを備えた支持構造体Ｓの配置位置を示す複数の位置表示部１１が設けられている。光拡散部１０は、光を拡散する材質で形成される。具体的には、例えば、乳半色等の、光拡散樹脂又は光拡散ガラス等を用いることができるが、加工、コスト面等から光拡散樹脂を用いて形成することが好ましい。
【００２１】
位置表示部１１は、使用するＬＥＤ光源Ｌの、光源の強さ、光軸方向、表示装置の形状、材質等を考慮し、表示部２０の輝度が均一になるように、ＬＥＤ光源Ｌ又はＬＥＤ光源Ｌを備えた支持構造体Ｓの適宜の配置位置を表示するものである。当該位置表示部１１は、ＬＥＤ光源Ｌ又はＬＥＤ光源Ｌを備える支持構造体Ｓの少なくともいずれか一つを位置表示部１１に配置することで、ＬＥＤ光源Ｌの発光部Ｌ１を光拡散部１０の適宜の位置に配置可能であれば良い趣旨である。つまり、ＬＥＤ光源Ｌ自体の配置位置を示すことによりＬＥＤ光源Ｌの発光部Ｌ１を適宜の位置に配置することは勿論のこと、ＬＥＤ光源Ｌを備える支持構造体Ｓ（後述する、連結部Ｓ１、光源支持体Ｓ２、支持部Ｓ３、固定部材Ｓ４、電線Ｓ５、チューブ状部材等）の配置位置を示すことでＬＥＤ光源Ｌの発光部Ｌ１が適宜の位置に配置されることとしても良い。
【００２２】
位置表示部１１は、例えば、ＬＥＤ光源Ｌや支持部Ｓ３等の支持構造体Ｓを配置する光拡散部１０の適宜の箇所に、レーザーでマーキングしたり、凹み、溝等の加工をしたものである。
【００２３】
ＬＥＤ光源Ｌは、種々の支持構造体Ｓによって支持されている。支持構造体Ｓとは、ＬＥＤ光源Ｌ自体を支持する支持部材、複数のＬＥＤ光源Ｌを連結する支持部材、その連結部材を支持する支持部材である。
【００２４】
図１に示すＬＥＤ光源Ｌは、光拡散部１０にＬＥＤ光源Ｌの発光部Ｌ１が当接可能な状態で、柔軟性を有する通電可能な連結部Ｓ１によって複数個連結されている。
【００２５】
本実施形態で使用しているＬＥＤ光源Ｌは、いわゆるサイドビュータイプのＬＥＤ光源Ｌであるが、ＬＥＤ光源Ｌ自体が、光源又は光拡散部１０で拡散された光を遮蔽したり、表示部２０に影を映さないＬＥＤ光源Ｌであれば、種々のＬＥＤ光源Ｌを使用することができる。なお、光源又は光拡散部１０で拡散された光を遮蔽したり、表示部２０に影を映さないとは、表示部２０の輝度を均一にすることを阻害しない程度に遮光又は影を映さなければよい趣旨である。
【００２６】
連結部Ｓ１は、複数のＬＥＤ光源Ｌを所定の間隔で連結するものである。当該連結部Ｓ１は、柔軟性を有することで、連結されたＬＥＤ光源Ｌの発光部Ｌ１を、適宜の位置に自在に配置させることができるものである。
【００２７】
具体的には、図１に示すように、連結部Ｓ１は薄い帯状形状であり、連結部Ｓ１の長手方向の一端側に一定の間隔を経て、ＬＥＤ光源Ｌを取り付けるための、凸状形状の光源支持体Ｓ２が突設されている。この連結部Ｓ１と光源支持体Ｓ２には、必要な電子回路等（図示せず。）が搭載されており、フレキシブルな基板を構成している。
【００２８】
そして、光源支持体Ｓ２間には支持部Ｓ３が設けられている。支持部Ｓ３は、光源支持体Ｓ２と同様に、連結部Ｓ１の長手方向の一端側に一定の間隔を経て凸状形状に突設されている。
【００２９】
また、図２に示すように、ＬＥＤ光源Ｌを、薄い帯状形状の連結部Ｓ１の長手方向の一端側に適宜の間隔を経て取り付け、連結部Ｓ１と光源支持体Ｓ２とが一体となる構成とする支持構造体Ｓとしても良い。この支持構造体Ｓの構成の場合、上述した支持部Ｓ３の代わりに、例えば、連結部Ｓ１を挟持する切欠き部Ｓ４１を備えたコの字状の薄板固定部材Ｓ４に連結部Ｓ１を挟持させ、固定部材Ｓ４を接着材等の適宜の固定手段によって固定し、ＬＥＤ光源Ｌを支持する構成にすることもできる。また、光拡散部１０に設けられた溝に連結部Ｓ１の端部を沿わせて固定することもできる。
【００３０】
また、図３に示すように（図３はＬＥＤ光源Ｌの連結状態のみを示しており、その他の構成は省略している。）連結部Ｓ１を電線Ｓ５で形成することもできる。つまり、ＬＥＤ光源Ｌと必要な電子回路等を搭載した光源支持体Ｓ２どうしを電線Ｓ５で連結する構成である。さらに、透明または透光性を有する、塩化ビニルやシリコン等のチューブ状の部材で連結したＬＥＤ光源Ｌ（図示せず。）を使用することもできる。
【００３１】
いずれにしても、上述した連結部Ｓ１、光源支持体Ｓ２、支持部Ｓ３、固定部材Ｓ４、電線Ｓ５、チューブ状部材等の、ＬＥＤ光源Ｌを支持する支持構造体Ｓは、表示部２０の輝度を均一にするために、上述したＬＥＤ光源Ｌと同様、支持構造自体が、ＬＥＤ光源Ｌから発光された光又は光拡散部１０で拡散された光を遮蔽したり、表示部２０に影を映さない構造のものであれば、どのような構成としても構わない。なお、ＬＥＤ光源Ｌから発光された光又は光拡散部１０で拡散された光を遮蔽したり、表示部２０に影を映さないとは、表示部２０の輝度を均一にすることを阻害しない程度に遮光又は影を映さなければよい趣旨である。
【００３２】
図１に示す表示装置は、位置表示部１１が支持部Ｓ３の配置位置を示すことにより、ＬＥＤ光源Ｌの発光部Ｌ１を光拡散部１０の適宜の位置に当接して配置するものである。具体的には、光拡散部１０に凹状の位置表示部１１を設けて、その位置表示部１１に支持部Ｓ３を挿入することで、支持部Ｓ３が固定されると共に、ＬＥＤ光源Ｌの発光部Ｌ１が光拡散部１０の適宜の位置に当接して配置される。
【００３３】
この表示装置に使用されるＬＥＤ光源Ｌを備える基板は、例えば、図１に示すように、複数のＬＥＤ光源Ｌを連結する連結部Ｓ１は薄い帯状形状である。この連結部Ｓ１の長手方向の一端側に一定の間隔を経て、凸状形状の光源支持体Ｓ２が突設されており、この突設された凸状形状の端部にＬＥＤ光源Ｌの発光部Ｌ１が位置するように取り付けられている。そして、その光源支持体Ｓ２間に凸状形状の支持部Ｓ３が突設されているフレキシブルな基板を用いる。
【００３４】
図２に示す表示装置は、位置表示部１１が、ＬＥＤ光源Ｌ、連結部Ｓ１、固定部材Ｓ４のいずれか一つ、または、これらの２以上の配置位置を示すことにより、ＬＥＤ光源Ｌの発光部Ｌ１を光拡散部１０の適宜の位置に当接して配置するものである。具体的には、光拡散部１０にレーザー等で、各部材の適宜の配置位置を示すマーキングをする。そして、そのマーキングに従い、各部材を配置し接着剤等の適宜の固定材で固定することで、ＬＥＤ光源Ｌの発光部Ｌ１が光拡散部１０の適宜の位置に当接して配置される。（マーキングは図示せず。）
この表示装置に使用されるＬＥＤ光源Ｌを備える基板は、光源支持体Ｓ２と連結部Ｓ１とが一体となる構成のフレキシブルな基板を用いることが好ましい。例えば、図２に示すように、薄い帯状形状の連結部Ｓ１の長手方向の一端側に、一定の間隔を経て複数のＬＥＤ光源Ｌの発光部Ｌ１が位置するように取り付けられているフレキシブルな基板である。この基板は、連結部Ｓ１を挟持する切欠き部Ｓ４１を備えたコの字状の薄板固定部材Ｓ４に連結部Ｓ１を挟持させ、固定部材Ｓ４を接着剤、粘着テープ等の適宜の固定手段によって固定することができる。
【００３５】
いずれにしても、光拡散部１０の適宜の位置に設けられた位置表示部１１に従って、ＬＥＤ光源Ｌ又は支持構造体Ｓのいずれか一つを適宜の位置に配置したとき、ＬＥＤ光源Ｌの発光部Ｌ１が光拡散部１０の適宜の位置に当接できればよい趣旨である。
【００３６】
表示部２０は、表示装置の天面を構成し、光拡散部１０によって拡散されたＬＥＤ光源Ｌの光によって照らされるものであり、照らしたい形状に形成される。また、例えば、乳半アクリル樹脂等で形成される。
【００３７】
側壁３０は、底部を構成する光拡散部１０と、天面を構成する表示部２０とを備える表示装置の周囲を囲うものである。表示部２０と同様に、光拡散部１０によって拡散されたＬＥＤ光源Ｌの光によって照らす構成とすることもできるし、照らさない構成とすることもできる。
【００３８】
側壁３０を照らす構成とする場合は、例えば、乳半アクリル樹脂で形成される。側壁３０を照らさない構成とする場合は、樹脂、金属、木材等の適宜の材料を使用し、表面には、外部に光が漏れることを防ぐために、必要に応じて、表示装置のデザインに応じた遮光塗装４０を施す。
【００３９】
以上、説明した本発明に係る表示装置によれば、光拡散部１０の適宜の位置に設けられた位置表示部１１に従って、ＬＥＤ光源Ｌ又はＬＥＤ光源Ｌを備えた支持構造体Ｓの少なくともいずれか一つを配置することで、ＬＥＤ光源Ｌの発光部Ｌ１が光拡散部１０の適宜の位置に当接して配置され、光拡散部１０全体を表示部２０等への斑の無い光源とすることができる。また、従来の複数のＬＥＤランプを、それぞれ反射板である底板から一定の距離を保ちながら光軸を底部に向けて固定するタイプの表示装置と比べて、側壁３０の高さを低くすることができる。
【００４０】
よって、簡易な構造を採用しつつ、ＬＥＤ光源Ｌの配置の自由度を簡易に確保し、表示部２０の輝度の均一化を図ると共に、表示装置の小型化、薄型化、コストの低減が可能となる。
【００４１】
図４は、本発明の第２実施形態に係る表示装置の斜視図であり、図５は、図４の中央縦断断面図である。この表示装置は、基本的には第１実施形態の表示装置と同様であるが、以下の点が異なる。
【００４２】
少なくとも、底部を構成する光拡散部１０と、天板を構成する表示部２０と、側壁３０と、によって囲まれた表示装置であって、光拡散部１０の適宜の位置に設けられた位置表示部１１に従って、ＬＥＤ光源Ｌ又はＬＥＤ光源Ｌを備えた支持構造体Ｓの少なくともいずれか一つを配置し、ＬＥＤ光源Ｌの発光部Ｌ１を、前記光拡散部１０に発光部Ｌ１側を下方に向けて挿入することで、光拡散部１０がＬＥＤ光源Ｌの光を拡散させて、少なくとも表示部２０を照らす表示装置である。
【００４３】
ここで、光拡散部１０に発光部Ｌ１側を下方に向けて挿入するとは、ＬＥＤ光源Ｌの発光部Ｌ１である発光面と、底部を構成する光拡散部１０が向かい合う状態で挿入することである。発光面と光拡散部１０の表面とが略平行になる状態で挿入されることが最も好ましいが、表示部２０が均一に照らされる範囲で、斜め下方に挿入されるものも含むものとする。
【００４４】
この表示装置の位置表示部１１は、光拡散部１０の適宜の位置に設けられた複数のＬＥＤ光源Ｌを挿入する挿入部１２から形成される。そして、その挿入部１２に少なくともＬＥＤ光源Ｌの一部が挿入されることで、ＬＥＤ光源Ｌの発光部Ｌ１が光拡散部１０の適宜の位置に挿入して配置され、光拡散部１０がＬＥＤ光源Ｌから発光される光を拡散し、光拡散部１０全体を表示部２０等への斑の無い光源とすることができるものである。
【００４５】
挿入部１２の形状は、ＬＥＤ光源Ｌ又はＬＥＤ光源Ｌを備えた光源支持体Ｓ２の少なくとも一部が挿入でき、ＬＥＤ光源Ｌの発光部Ｌ１が挿入できる形状であれば良い。
【００４６】
挿入部１２の形状は、図４及び図５に示すように、ＬＥＤ光源Ｌ又はＬＥＤ光源Ｌを備えた光源支持体Ｓ２が嵌入することで、ＬＥＤ光源Ｌ又はＬＥＤ光源Ｌを備えた光源支持体Ｓ２が固定される凹状形状であることが好ましい。具体的には、挿入部１２の深さはＬＥＤ光源Ｌ又はＬＥＤ光源Ｌを備えた光支持体の短手方向の長さと略同じであって、挿入部１２の幅はＬＥＤ光源Ｌ又はＬＥＤ光源Ｌを備えた光源支持体Ｓ２の長手方向の長さと略同じに構成することで、ＬＥＤ光源Ｌ又はＬＥＤ光源Ｌを備えた光源支持体Ｓ２が挿入部１２に嵌入し固定される。そして、ＬＥＤ光源Ｌの発光部Ｌ１が、凹状形状をした挿入部１２の底部に当接する構成とすれば、より好ましい。
【００４７】
挿入部１２は、連続した凹状の溝形状により構成しても良いが、ＬＥＤ光源Ｌを配置する所定の位置を認識することが可能であり、かつ、その所定の位置でＬＥＤ光源Ｌが固定可能となっていることが好ましい。
【００４８】
また、光拡散部１０に設けられた挿入部１２に挿入されたＬＥＤ光源Ｌが発光することで、光拡散部１０の内部でＬＥＤ光源Ｌが発光することとなるため、光拡散部１０自体がより均一な発光体となる。
【００４９】
図４の表示装置は、上方が開口した、高さが薄い略直方体の箱体に形成された光拡散部１０に、略矩形形状の天板を構成する表示部２０と側壁３０が一体に形成され、略錐台形状をした、表示部２０と側壁３０とを載置した構成である。箱体に形成された光拡散部１０の、四方の側部の表面側には遮光の為の塗装が施されており、箱体に形成された光拡散部１０の底部の適宜の位置に、発光部Ｌ１を下方に向けたＬＥＤ光源Ｌを挿入することで、光拡散部１０がＬＥＤ光源Ｌの光を拡散させて、光拡散部１０全体を光源とし、略錐台形状の表示部２０と側壁３０とを照らす表示装置である。
【００５０】
箱体に形成された光拡散部１０の底部には、横方向（図４の光拡散部１０の短手方向を横方向とし、長手方向を縦方向とする。）に一定の間隔を隔てて複数個挿入部１２を設けると共に、縦方向に同様の挿入部１２が複数列形成されている。
【００５１】
この表示装置に使用されるＬＥＤ光源Ｌを備える基板は、図４に示すように、薄い帯状形状の連結部Ｓ１の長手方向の一端側に、所定の間隔を隔てて、光源支持体Ｓ２が突設され、その光源支持体Ｓ２にＬＥＤ光源Ｌが取り付けられているフレキシブルな基板を用いることが好ましい。ＬＥＤ光源Ｌは、挿入部１２に挿入したとき、ＬＥＤ光源Ｌの発光部Ｌ１が下方に向くように光源支持体Ｓ２に取り付けられている。
【００５２】
そして、図４及び図５に示すように、ＬＥＤ光源Ｌが取り付けられた光源支持体Ｓ２を挿入部１２に嵌入することで、ＬＥＤ光源Ｌの発光部Ｌ１を適宜の位置に配置すると共に固定する。
【００５３】
以上、説明した本発明に係る表示装置によれば、光拡散部１０の適宜の位置に設けられた位置表示部１１に従って、ＬＥＤ光源Ｌ自体を配置するので、ＬＥＤ光源Ｌを備えた支持構造体Ｓを位置表示部１１に従って配置することでＬＥＤ光源Ｌの発光部Ｌ１を適宜の位置に配置する場合と比べ、簡易かつ正確にＬＥＤ光源Ｌの発光部Ｌ１を適宜の位置に配置することができる。また、ＬＥＤ光源Ｌの発光部Ｌ１を光拡散部１０に当接する場合と比べ、少なくとも、ＬＥＤ光源Ｌが光拡散部１０の挿入部１２に挿入した分だけ、側壁３０の高さをさらに低くでき、表示装置の小型化、薄型化がより可能となる。
【００５４】
図６及び図７は、本発明の表示装置を、光装飾の分野において、いわゆるチャンネル文字と呼ばれる立体文字の広告看板装置として使用する場合の実施形態の一例を示すものである。図６はアルファベットのＡの字の、チャンネル文字の表示部２０と側壁３０とを省略した状態の正面図である。図７は図６の表示部２０と側壁３０とを省略していない状態のＡ―Ａ線断面図である。
【００５５】
図６及び図７に示す表示装置は、アルファベットの文字に形成された表示部２０の輝度が均一になるように、光拡散部１０にＬＥＤ光源Ｌの配置位置を示す位置表示部１１（挿入部１２）が設けられたものである。
【００５６】
基本的な構成は第２実施形態と同様である。なお、第１実施形態と同様の構成とすることもできる。
【００５７】
この表示装置は図７に示すように、断面台形形状の表示装置である。表示したい文字等の形状に形成された表示部２０と、その表示部２０に対応した形状の光拡散部１０とが、平行に位置して設けられる。光拡散部１０の幅は、表示部２０の幅よりも僅かに短い形状とし、表示部２０の両端の下面から設けられた、断面視略楔形状の側壁３０によって周囲を囲まれている。そして、光拡散部１０と側壁３０の底部に台座５０が設けられている。表示装置の側面には、外部に光が漏れることを防ぐために、デザインに応じた遮光塗装４０が施されている。
【００５８】
なお、表示装置の形状は、表示部２０の輝度が均一になる形状であれば、適宜デザイン変更可能であり、例えば、断面形状を矩形状等の種々の形状とすることができる。
【００５９】
以上、説明した本発明に係る表示装置によれば、簡易にＬＥＤ光源Ｌの発光部Ｌ１を適宜の位置に自在に配置することができ、複雑な文字、図形、記号等に形成された表示部２０の輝度を容易に均一にできると共に、表示装置の小型化、薄型化、コストの低減が可能となる。なお、上記構成の表示装置によって照らされた表示部２０は、縁取りの無い文字等に表示されるが、縁取りの有る文字等に表示する構成とすることもできる。
【００６０】
当該発明は、上述の実施形態の構成に限定されるものではなく、形状、寸法、材料、固定材等を適宜変更して実施することが可能である。例えば、ＬＥＤ光源Ｌの発光部Ｌ１を光拡散部１０に当接させる箇所と、ＬＥＤ光源Ｌの発光部Ｌ１を光拡散部１０に挿入する箇所を混在させた構成とすることもできる。
【００６１】
また、表示装置は、少なくとも底部の一部を構成する光拡散部１０と、天板の一部を構成する表示部２０と、側壁３０と、によって囲まれた表示装置であれば良く、天板全体が表示部２０である必要も、底部全体が光拡散部１０である必要もなく、種々の構造の表示装置が含まれる。さらに一部構成を省略することができるし、一部抽出した構成とすることができるのは勿論である。
【符号の説明】
【００６２】
Ｌ      ＬＥＤ光源
Ｌ１    発光部
１０    光拡散部
１１    位置表示部
１２    挿入部
２０    表示部
３０    側壁
Ｓ      支持構造体
Ｓ１    連結部
Ｓ２    光源支持体
Ｓ３    支持部
Ｓ４    固定部材
Ｓ５    電線
Ｓ４１  切欠き部
４０    遮光塗装
５０    台座
９０    光拡散樹脂板
９１    側板
９２    底面
９３    光源
【図１】
2014056011.tif 000003
【図２】
2014056011.tif 000004
【図３】
2014056011.tif 000005
【図４】
2014056011.tif 000006
【図５】
2014056011.tif 000007
【図６】
2014056011.tif 000008
【図７】
2014056011.tif 000009
【図８】
2014056011.tif 000010
【図９】
2014056011.tif 000011